【事件の表示】
　特許第３２４６４７０号「施肥装置付き田植機」の請求項１に係る特許に対する特許異議の申立てについて、次のとおり決定する。
【結　論】
　訂正を認める。
　特許第３２４６４７０号の請求項１に係る特許を取り消す。
【理　由】
１．手続の経緯　　　　　　　　　　　　　　　　　　　　　　　　　　
　本件特許第３２４６４７０号の請求項１に係る発明についての出願は、平成３年２月１９日に特許出願した特願平３−４７６９６号の一部を分割して平成１１年３月２６日に新たな特許出願とし、平成１３年１１月２日にその発明について特許権の設定登録がなされ、その後、その特許について、ヤンンマー農機株式会社より特許異議の申立てがなされ、取消理由通知がなされ、その指定期間内である平成１６年３月１５日に訂正請求がなされたものである。
　　　　　　　　　　　　　　　　　　　　　　　　　　　　　　　　　
２．訂正の適否についての判断
（１）訂正の内容
　特許権者が求めている訂正の内容は、以下のaないしdのとおりである
（下線部が訂正個所である）。　　　　　　　　　　　　　　　　　　　　訂正事項ａ　　　　　　　　　　　　　　　　　　　　　　　　　　　　
特許明細書の特許請求の範囲の請求項１中の「リンク装置３を介して昇降可能に設け、」の記載（特許公報第１頁第１欄第９行）を、　　　　　　　
「
リンクベース１０に回動自在に取り付けられたリンク１１，１２を備える
ブロワ３６からの温風が前記リンクベース１０の上に横設した施肥フレーム３５内を通って繰出器３１の下端部に供給される構成とし、
　　　　　　　　　　　　　　　　　　　　　　　　　　　　　　　　　
訂正事項ｂ　　　　　　　　　　　　　　　　　　　　　　　　　　　　
特許明細書の段落【０００３】の【課題を解決するための手段】における「リンク装置３を介して昇降可能に設け、」の記載（特許公報第２頁第３欄第７行）を、　　　　　　　　　　　　　　　　　　　　　　　　　　　　
「
リンクベース１０に回動自在に取り付けられたリンク１１，１２を備える
ブロワ３６からの温風が前記リンクベース１０の上に横設した施肥フレーム３５内を通って繰出器３１の下端部に供給される構成とし、
　　　　　　　　　　　　　　　　　　　　　　　　　　　　　　　　　
訂正事項c
特許明細書の段落【０００４】の【発明の作用及び効果】における「リンク装置３を介して昇降可能に設け」の記載（特許公報第２頁第３欄第２５−２６行）を、　　　　　　　　　　　　　　　　　　　　　　　　　　　　
「
リンクベース１０に回動自在に取り付けられたリンク１１，１２を備える
、ブロワ３６からの温風が前記リンクベース１０の上に横設した施肥フレーム３５内を通って繰出器３１の下端部に供給される構成とし
　　　　　　　　　　　　　　　　　　　　　　　　　　　　　　　　　
訂正事項d
特許明細書の段落【００１２】の「施肥クラット体６６」の記載（特許公報第３頁第５欄第２９−３０行）を「施肥クラッ
チ
施肥
　　　　　　　　　　　　　　　　　　　　　　　　　　　　　　　　　
（２）訂正の目的の適否、新規事項の有無及び拡張・変更の存否　 　　　
　上記訂正事項ａは、特許明細書の特許請求の範囲の請求項１に記載されていた「リンク装置３を介して昇降可能に設け」の構成について、特許明細書の段落【０００６】の記載に基いて、より下位の概念である「リンクベース１０に回動自在に取り付けられたリンク１１，１２を備えるリンク装置３を介して昇降可能に設け」と限定するものであり、同様に特許明細書の特許請求の範囲の請求項１に記載されていた「ブロワ３６」の構成について、特許明細書の段落【０００８】の記載に基いて、より下位の概念である「ブロワ３６からの温風が前記リンクベース１０の上に横設した施肥フレーム３５内を通って繰出器３１の下端部に供給される構成とし」と限定するものであるから、特許請求の範囲の減縮を目的とした明細書の訂正に該当する。また、上記訂正事項b及びcは、前記特許請求の範囲の減縮に伴って、減縮された特許請求の範囲の記載と発明の詳細な説明の記載との整合を図るものであるから、明瞭でない記載の釈明を目的とした明細書の訂正に該当し、上記訂正事項dは、誤記の訂正を目的とした明細書の訂正に該当するものであって、いずれも新規事項の追加に該当せず、実質上特許請求の範囲を拡張し、変更するものではない。
　　　　　　　　　　　　　　　　　　　　　　　　　　　　　　　　　
（３）むすび　　　　　　　　　　　　　　　　　　　　　　　　　　　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　　　　　　　　　　　　　　　　　　　　　　　　　　　　　　
３．特許異議申立てについての判断　　　　　　　　　　　　　　　　　
（１）本件発明 　　　　　　　　　　　　　　　　　　　　　　　　　　
　上記２．で示したように上記訂正が認められるので、本件の請求項１に係る発明（以下、「本件発明」という）は、上記訂正に係る訂正明細書の特許請求の範囲の請求項１に記載されたとおりのつぎのものと認められる。
「動力車両２の操縦席９より後側に施肥装置５と植付部４を装着した施肥装置付き田植機において、肥料を繰り出す繰出器３１と該繰出器３１から繰り出された肥料を搬送する風を供給するブロワ３６とを機体側面視で操縦席９の前端に対して機体後方側近傍に位置させて走行車両２の後部に設け、植付部４を前記繰出器３１及びブロワ３６より機体後方側に位置させて動力車両２の後部にリンクベース１０に回動自在に取り付けられたリンク１１，１２を備えるリンク装置３を介して昇降可能に設け、ブロワ３６からの温風が前記リンクベース１０の上に横設した施肥フレーム３５内を通って繰出器３１の下端部に供給される構成とし、繰出器３１並びにブロワ３６と植付部４への伝動の入り切り操作と植付部４の昇降操作とを行なう一つの操作レバー７０を操縦席９の側方部に設けたことを特徴とする施肥装置付き田植機。」　　　　　　　　　　　　　　　　　　　　　　　　　　　　　　　　　　
（２）引用刊行物に記載された発明
引用刊行物
刊行物１：実願昭５８−１２０９３４号（実開昭６０−２８８２６号）の願　　　　　書に添付した明細書及び図面の内容を撮影したマイクロフィルム　　　　　（甲第１号証）
刊行物２：特開昭６１−２５７１１０号公報（甲第２号証）
刊行物３：特開昭５９−１７５８０９号公報（甲第３号証）
刊行物４：実願昭５８−７３９９５号（実開昭５９−１７８０１５号）の願　　　　　書に添付した明細書及び図面の内容を撮影したマイクロフィル　　　　　　ム（甲第４号証）
刊行物５：特開昭６０−１７２２２０号公報（甲第５号証）
　　　　　　　　　　　　　　　　　　　　　　　　　　　　　　　　　
　取消理由に引用した、本件発明の出願前に頒布された刊行物である、刊行物１ないし刊行物５にはそれぞれ以下の発明が記載されていると認められる。
刊行物１（実願昭５８−１２０９３４号（実開昭６０−２８８２６号）の願　　　　　書に添付した明細書及び図面の内容を撮影したマイクロフィル　　　　　　ム、甲第１号証）
刊行物１には以下の記載が認められる。
1-a「(10)は農作業機の一種である施肥装置付乗用型４条植田植機であって、乗用型走行車体(11)と、該乗用型走行車体(11)の後部にリンク機構(12)を介して上下動自在に装着された４条植田植装置(13)と、施肥装置(14)とによって構成されている。」（第２頁第１８行−第３頁第２行）　　　　
1-b「車体後部の操縦席(20)」（第３頁１１行）
1-c「施肥装置(14)は、粒状肥料を入れておくタンク(1)と、該タンク(1)より一定量づつ粒状肥料を繰出す繰出装置(2)と、該繰出装置(2)より繰出された粒状肥料を田植装置(13)に設けられた作溝具(3)に搬送する空気搬送装置(4)等にて構成されている。空気搬送装置(4)は、・・・ブロア(5)と、該ブロア(5)により発生する圧風を一時畜える圧風タンク(21)と、前記繰出装置(2)の下端に接続して圧風タンク(21)内の圧風により繰出された粒状肥料を作溝具(3)まで空気搬送する搬送パイプ(22)・・・とによって構成されている。」（第３頁第１４行−第４頁第４行）
1-d 刊行物１の図面第１図及び第２図によれば、施肥装置(14)と田植装置(13)は操縦席(20)より後ろ側に装着されており、また繰出装置(2)とブロア(5)とは機体側面視で操縦席(20)の前端に対して機体後方側近傍に位置させて乗用型走行車体(11)の後部に設けられ、田植装置(13)を繰出装置(2)及びブロア(5)より機体後方側に位置させて設けたものであるといえる。
1-e 刊行物１の特に図面第２図によれば、「圧風タンク(21)」は「乗用型走行車体(11)」の左右幅方向、すなわち横方向に設けられている。
上記の記載より、刊行物１にはつぎの発明（以下、「引用発明１」という）が記載されていると認められる。
「乗用型走行車体(11)と、該乗用型走行車体(11)の後部にリンク機構(12)を介して上下動自在に装着された４条植田植装置(13)と、施肥装置(14)とによって構成されており、車体後部には操縦席(20)が設けられ、施肥装置(14)は、粒状肥料を入れておくタンク(1)と、該タンク(1)より一定量づつ粒状肥料を繰出す繰出装置(2)と、該繰出装置(2)より繰出された粒状肥料を４条植田植装置(13)に設けられた作溝具(3)に搬送する空気搬送装置(4)等にて構成され、空気搬送装置(4)はブロア(5)と、該ブロア(5)により発生する圧風を一時畜える圧風タンク(21)と、前記繰出装置(2)の下端に接続して圧風タンク(21)内の圧風により繰出された粒状肥料を作溝具(3)まで空気搬送する搬送パイプ(22)とによって構成されている、施肥装置付乗用型４条植田植機。」
　　　　　　　　　　　　　　　　　　　　　　　　　　　　　　　　　
刊行物２（特開昭６１−２５７１１０号公報、甲第２号証）
刊行物２には以下の記載が認められる。
2-a「この発明は、・・・苗植と共に施肥を行う施肥装置を備えた苗植機に利用しうる。」（第１頁左下欄第１３−１５行）
2-b「苗植作業を行うときは、操作レバー（３）を上昇操作位置から下降操作位置に操作すると、苗植装置（２）が走行車輪（１）に対して下降されて苗を植付けうる姿勢にすると共に、この苗植装置（２）の苗植クラッチ（４）及び施肥装置（５）の施肥クラッチ（６）が動力切り位置にあって、これよりこの操作レバー（３）を入り位置へ操作すれば、苗植装置（２）を植付作業姿勢にしたまゝで苗植クラッチ（４）を入りにして苗植装置（２）を連動させて苗植付を行わせると共に、施肥クラッチ（６）を入りにして施肥装置（５）を連動させて施肥を行い、又、逆にこれら苗植付作業姿勢から操作レバー（３）を切り位置へ操作すれば、苗植クラッチ（４）と共に施肥クラッチ（６）も共に切りとなって、更にこの操作レバー（３）を上昇位置へ操作すれば、この苗植装置（２）を非作業姿勢へ土壌面から高く上昇させる。・・・このように、操作レバー（３）を操作するだけで、苗植装置（２）の昇降を操作させると共に、この苗植装置（２）の下降位置において苗植クラッチ（４）と施肥クラッチ（６）との連動を入切しうるものであるから、苗植装置（２）による苗の植付開始と施肥装置（５）による施肥開始とを同期すると共に、又苗の植付停止と施肥停止とを同期させて、的確な操作を行うことができ、単一の操作レバー（３）とすることができ」（第１頁右下欄第１６行−第２頁右上欄第２行）
2-c「走行車体（７）には・・・操縦ハンドル（１０）前の原動機（９）側部に施肥装置（５）の施肥タンク（１１）及び繰出装置（１２）等を設け、操縦ハンドル（１０）後方に操縦席（１３）、操作レバー（３）・・・等を設け、この走行車体（７）の後端に昇降リンク機構（１５）によって・・・苗植装置（２）を連結し、油圧機構によって伸縮される伸縮シリンダ機構（１９）で昇降すべく設けられている。施肥装置（５）は・・・施肥タンク（１１）の下部に、この施肥タンク（１１）内の肥料を繰出す繰出機構（１２）を設け、各繰出機構（１２）は施肥パイプ（２０）に連通させて、この施肥パイプの始端部は原動機（９）の排気パイプ（２１）に連通させて繰出施肥料をこの排気パイプ（２１）から吹き込まれる排気によって圧送すべく設け」（第２頁右上欄第１１行−左下欄第１２行）
2-d 上記摘記事項2-c及び刊行物２の図面第１、第２図によれば、「操作レバー（３）」は「操縦席（１３）」の側方部に設けられているということができ、同様に摘記事項2-c及び図面第１図によれば、「走行車体（７）の後端に」設けられる「昇降リンク機構（１５）」は、第１図において破線で示される取付部に取り付けられているということができる。
上記の記載より、刊行物２にはつぎの発明（以下、「引用発明２」という）が記載されていると認められる。
「走行車体（７）の操縦ハンドル（１０）前の原動機（９）側部に、施肥タンク（１１）内の肥料を繰出し、原動機（９）の排気パイプ（２１）から吹き込まれる排気によって繰出施肥料を圧送する繰出機構（１２）を備えた施肥装置（５）を設け、この走行車体（７）の後端に昇降リンク機構（１５）によって苗植装置（２）を連結し、油圧機構によって伸縮される伸縮シリンダ機構（１９）で昇降すべく設け、操縦席（１３）の側方部に設けた単一の操作レバー（３）を操作することにより、苗植作業を行うときは、操作レバー（３）を上昇操作位置から下降操作位置に操作すると、苗植装置（２）が走行車輪（１）に対して下降されて苗を植付けうる姿勢にすると共に、この苗植装置（２）の苗植クラッチ（４）及び施肥装置（５）の施肥クラッチ（６）が動力切り位置にあって、これよりこの操作レバー（３）を入り位置へ操作すれば、苗植装置（２）を植付作業姿勢にしたまゝで苗植クラッチ（４）を入りにして苗植装置（２）を連動させて苗植付を行わせると共に、施肥クラッチ（６）を入りにして施肥装置（５）を連動させて施肥を行い、又、逆にこれら苗植付作業姿勢から操作レバー（３）を切り位置へ操作すれば、苗植クラッチ（４）と共に施肥クラッチ（６）も共に切りとなって、更にこの操作レバー（３）を上昇位置へ操作すれば、この苗植装置（２）を非作業姿勢へ土壌面から高く上昇させるよう構成し、操作レバー（３）を操作するだけで、苗植装置（２）の昇降を操作させると共に、この苗植装置（２）の下降位置において苗植クラッチ（４）と施肥クラッチ（６）とを連動させて入切しうるようにして、苗植装置（２）による苗の植付開始と施肥装置（５）による施肥開始とを同期すると共に、又苗の植付停止と施肥停止とを同期させて、的確な操作を行うことができる、施肥装置を備えた苗植機。」
　　　　　　　　　　　　　　　　　　　　　　　　　　　　　　　　　
刊行物３（特開昭５９−１７５８０９号公報、甲第３号証）
刊行物３には、「肥料タンク(10)」から繰り出される肥料を「圧風搬送」するための「送風機(12)」への伝動の入り切りを「植付クラッチレバー(22)」の操作に連動して行う施肥装置付き田植機が記載されている。（特許請求の範囲及び第２頁左下欄第５行−右下欄第５行）
　　　　　　　　　　　　　　　　　　　　　　　　　　　　　　　　　
刊行物４（実願昭５８−７３９９５号（実開昭５９−１７８０１５号）の願　　　　　書に添付した明細書及び図面の内容を撮影したマイクロフィル　　　　　　ム、甲第４号証）
刊行物４には、「植付クラッチレバー(12)」の「入」・「切」操作に連動して、「ブロワー(10)」への回転動力を「入」・「切」する「テンションクラッチ(21)」を「入」・「切」操作する施肥装置付き田植機が記載されている。（実用新案登録請求の範囲及び第４頁第２行−第５頁第１０行）
　　　　　　　　　　　　　　　　　　　　　　　　　　　　　　　　　
刊行物５（特開昭６０−１７２２２０号公報、甲第５号証）
刊行物５には、「粉粒体を空気搬送するパイプ(1)に、送風用のファン(2)と粉粒体を繰り出す繰出装置(3)とを連通し、これら各ファン(2)と繰出装置(3)との各伝動を断続する連動装置(4)(5)を連動操作可能に設けてなる施肥、播種装置」が記載されている。（特許請求の範囲）　　　　　　　　　　　　　　　　　　　　　　　　　　　　　　　　　　　　　　　　　　　　
（３）対比・判断
　本件発明と引用発明１とを対比すると、引用発明１における「乗用型走行車体(11)」は本件発明における「動力車両２」に対応し、以下同様に、「田植装置(13)」は「植付部４」に、「繰出装置(2)」は「繰出器３１」に、「ブロア(5)」は「ブロワ３６」に、「リンク機構(12)」は「リンク装置３」に、それぞれ対応している。
　ここで、引用発明１における「リンク機構(12)」は「乗用型走行車体(11)の後部」において「田植装置(13)」を「上下動自在に装着」するためのものであり、「リンク機構(12)」を構成するリンクが回動することによって「田植装置(13)」が上下動自在、すなわち昇降可能に設けられているものである。そしてリンクが回動することは、実質上リンクは、取付部に回動自在に取り付けられていることを意味している。一方、本件発明における「リンク装置３」が備える「リンク１１，１２」は「動力車両２の後部」において「リンクベース１０に回動自在に取り付けられ」ており、該「リンクベース１０」は「リンク１１，１２」を取り付けるための取付部であるということができるから、植付部（田植装置）の取り付けに関して、本件発明と引用発明１とは、植付部（田植装置）を、動力車両（乗用型走行車体）の後部に、取付部に回動自在に取り付けられたリンクを備えるリンク装置（リンク機構）を介して、昇降可能に設けたものであるということができる。
　また引用発明１において、「ブロア(5)により発生」する「圧風」、すなわち「風」は、「圧風タンク(21)」に一時畜えられてから「繰出装置(2)の下端に」供給されるものであり、上記「圧風タンク(21)」は「乗用型走行車体(11)」の左右幅方向、すなわち横方向に設けられた（刊行物１の1-e）、「横設体」であるといえる。一方、本件発明における「（リンクベース１０の上に）横設した施肥フレーム３５」も「横設体」という概念に包含されるから、ブロワ（ブロア）からの「風」（「温風」または「圧風」）の供給に関して、本件発明と引用発明１とは、「ブロワ」（「ブロア」）からの「風」（「温風」または「圧風」）が「横設体」内を通って「繰出器」（「繰出装置」）の下端部に供給される構成であるということができる。
　さらに引用発明１において、各部の配置をみると、「施肥装置(14)」と「田植装置(13)」は「操縦席(20)」より後ろ側に設置されており、また「繰出装置(2)」と「ブロア(5)」とは機体側面視で「操縦席(20)」の前端に対して機体後方側近傍に位置させて「乗用型走行車体(11)」の後部に設けられ、「田植装置(13)」を「繰出装置(2)」及び「ブロア(5)」より機体後方側に位置させて設けたものであるといえる（刊行物１の1-d）。
　そうすると、両者は以下の点で一致し、また相違していると認められる。
一致点；
動力車両の操縦席より後側に施肥装置と植付部を装着した施肥装置付き田植機において、肥料を繰り出す繰出器と該繰出器から繰り出された肥料を搬送する風を供給するブロワとを機体側面視で操縦席の前端に対して機体後方側近傍に位置させて走行車両の後部に設け、植付部を前記繰出器及びブロワより機体後方側に位置させて動力車両の後部に取付部に回動自在に取り付けられたリンクを備えるリンク装置を介して昇降可能に設け、ブロワからの風が横設体内を通って繰出器の下端部に供給される構成とした施肥装置付き田植機、である点。
相違点；
a．ブロワからの風が、本件発明においては温風であるのに対して、引用発明１においては圧風である点。
b．本件発明においては、横設体が施肥フレームであり、リンクを取り付ける取付部であるリンクベースの上に該施肥フレームを横設したものであるのに対して、引用発明１においては、横設体が圧風タンクであり、リンクを取り付ける取付部の位置が明確でなく、取付部の上に該圧風タンクを横設したものであるのか、不明である点。
c．繰出器並びにブロワと植付部への伝動の入り切り操作と植付部の昇降操作とを、本件発明においては操縦席の側方部に設けた一つの操作レバーにより行なうものであるのに対して、引用発明１においては繰出器並びにブロワと植付部への伝動の入り切り操作と植付部の昇降操作については不明である点。
　上記の相違点について検討する。
　a．の相違点について検討する。
　本件発明における「温風」に関連して本件の明細書をみると、段落【０００８】に、「ブロワ３６によってエンジンルーム３７内の温風がこの施肥フレーム３５内を通って繰出器３１の下端部に供給され」（特許公報第２頁第４欄第３４−３６行）と記載されていることから、上記「温風」は、少なくとも「エンジンルーム内の温風」を包含している。一方、引用発明２は、「原動機（９）の排気パイプ（２１）に連通させて繰出施肥料をこの排気パイプ（２１）から吹き込まれる排気によって圧送すべく設け」（刊行物２の2-c）たものであって、上記「排気」は実質的に、a．の相違点に係る構成における「温風」に対応している。そして、引用発明１に引用発明２が備える上記の構成を適用した点は単なる設計事項に過ぎない。
　b．の相違点について検討する。
　引用発明２において、「昇降リンク機構（１５）」が取り付けられる取付部（刊行物２の2-d）は側面視で機体より立設状に設けられていることが刊行物２の図面第１図より見て取れる。また引用発明２の他にも、機体より立設したフレームまたは枠体に、植付部を昇降するための昇降リンクを回動自在に取り付けることは、田植機における周知の技術（例えば、下記の周知例１及び周知例２があげられる。）であり、この周知技術におけるリンクの取付部は上記b．の相違点に係る構成における「リンクベース」に比して実質上変わるところがない。一方、機体より立設した枠体上に施肥装置のエアータンクを配設すること、および、施肥装置のエアータンクを施肥フレームに兼用することはいずれも周知の技術（例えば、前者については周知例３及び４、後者については周知例５及び周知例６があげられる。）である。そして、これらの周知技術を勘案すると、引用発明１において、リンクを取り付ける取付部の上に「圧風タンク」を横設するよう構成して、これを施肥フレームとすることは、当業者が適宜になし得る設計事項に過ぎない。
　c．の相違点について検討する。
　引用発明２は、「操縦席（１３）の側方部に設けた単一の操作レバー（３）を操作することにより」、「苗植装置（２）」の昇降操作に連動して「苗植装置（２）の苗植クラッチ（４）及び施肥装置（５）の施肥クラッチ（６）」を「入切しうる」ように構成したものである。この引用発明２における「施肥装置（５）」は、上記したように「原動機（９）の排気パイプ（２１）から吹き込まれる排気によって圧送する繰出機構（１２）を備えた」ものであり、ブロワを備えていないために、上記「単一の操作レバー（３）」による操作は「施肥装置（５）」と「苗植装置（２）」への伝動の入り切り操作と「苗植装置（２）」の昇降操作であるが、ブロワを備えた施肥装置は周知（例えば、上記刊行物３ないし５があげられる。）であり、特に施肥装置におけるブロワと苗植装置への伝動の入り切り操作を連動させることも適宜行われており（刊行物３及び４）、また施肥装置において、肥料の円滑な送出のために、繰出器とブロワへの伝動の入り切り操作を連動して行うことも周知（刊行物５）である。しかも施肥装置における繰出器とブロワ及び苗植装置への伝動の入り切り操作並びに苗植装置の昇降操作は、いずれも植付作業に関連した共通の操作である。そうすると、引用発明１における繰出器並びにブロアと植付部への伝動の入り切り操作と、植付部の昇降操作の操作手段として引用発明２を適用し、刊行物３ないし５に記載された技術事項を勘案して、上記c．の相違点に係る構成を得ることは当業者が容易に想到することができたものである。
　そして上記の各相違点に係る構成を備えた本件発明が奏する効果も、引用発明１並びに引用発明２及び周知技術（刊行物３ないし５に記載された技術事項及び周知例１ないし６）が奏する効果から予測できる範囲内のものであり、格別なものとはいえない。
　したがって、本件発明は引用発明１並びに引用発明２及び周知技術（刊行物３ないし５に記載された技術事項及び周知例１ないし６）に基いて当業者が容易に発明をすることができたものである。
　　　　　　　　　　　　　　　　　　　　　　　　　　　　　　　　　
【周知例】　　　　　　　　　　　　　　　　　　　　　　　　　　　　
周知例１：実願昭５７−１３４０７号（実開昭５８−１１５９１７号）の願　　　　　書に添付した明細書及び図面の内容を撮影したマイクロフィルム　　　　　（第４頁第１１−１６行及び図面第１図）　　　　　　　　　
　　　　　　　　　　　　　　　　　　　　　　　　　　　　　　　　　
周知例２：特開平２−３１０１８３号公報　　　　　　　　　　　　　　
　　　　　（第２頁左下欄第１２−１７行及び図面第１図）　　　　　　　　　　　　　　　　　　　　　　　　　　　　　　　　　　　　　　　　
周知例３：実願昭５８−１８２４４９号（実開昭６０−８９８２３号）の願　　　　　書に添付した明細書及び図面の内容を撮影したマイクロフィルム　　　　　（第３頁第１２−１５行及び第４頁第６−１０行並びに図面第１　　　　　　図）　　　　　　　　　　　　　　　　　　　　　　　　　
　　　　　　　　　　　　　　　　　　　　　　　　　　　　　　　　　
周知例４：特開昭６３−９４９１１号公報　　　　　　　　　　　　　　
　　　　　（第３頁左上欄第１４行−右上欄第２行及び図面第４図）　　　　　　　　　　　　　　　　　　　　　　　　　　　　　　　　　　　　
周知例５：特開昭５９−２１３３１９号公報　　　　　　　　　　　　　
　　　　　（第２頁左下欄第１８行−右下欄第５行及び図面第２図）　　　　　　　　　　　　　　　　　　　　　　　　　　　　　　　　　　　　
周知例６：特開昭６０−１２６００８号公報　　　　　　　　　　　　　
　　　　　（第２頁左上欄第３−１６行及び図面第１、２図）　　　　　
　　　　　　　　　　　　　　　　　　　　　　　　　　　　　　　　　
（４）むすび　　　　　　　　　　　　　　　　　　　　　　　　　　　
　以上のとおりであるから、本件発明は、特許法第２９条第２項の規定により特許を受けることができない。
　したがって、本件発明についての特許は拒絶の査定をしなければならない特許出願に対してされたものと認める。　　　　　　　　　　　　　　　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年５月１２日（２００４．５．１２）
【訂正の要旨】
審決（決定）の【理由】欄参照。
（５４）【発明の名称】
施肥装置付き田植機
（５７）【特許請求の範囲】
　【請求項１】　動力車両２の操縦席９より後側に施肥装置５と植付部４を装着した施肥装置付き田植機において、肥料を繰り出す繰出器３１と該繰出器３１から繰り出された肥料を搬送する風を供給するブロワ３６とを機体側面視で操縦席９の前端に対して機体後方側近傍に位置させて走行車両２の後部に設け、植付部４を前記繰出器３１及びブロワ３６より機体後方側に位置させて動力車両２の後部に
リンクベ−ス１０に回動自在に取り付けられたリンク１１，１２を備える
ブロワ３６からの温風が前記リンクベ−ス１０の上に横設した施肥フレ−ム３５内を通って繰出器３１の下端部に供給される構成とし、
【発明の詳細な説明】
　【０００１】
　【産業上の利用分野】
　本発明は、苗の植付けとともに施肥を行う施肥装置付き田植機に関するものである。
　【０００２】
　【従来の技術とその課題】
　従来、動力車両の操縦席より後側に施肥装置と植付部を装着した施肥装置付き田植機がある。このような構成の場合、施肥と植付の両作業装置が操縦席より後方にあるので、その両作業装置によって機体前方視界が妨げられない利点がある。しかし、両作業装置が操縦席より後方にあるために、操縦席からは後ろを振り向かないと両作業装置の作動状況を直接見て確認できないから、誤操作や操作忘れを生じやすく、作業を適確に進めにくいという欠点がある。
　【０００３】
　【課題を解決するための手段】
　本発明は、上記課題を解決するために、動力車両２の操縦席９より後側に施肥装置５と植付部４を装着した施肥装置付き田植機において、肥料を繰り出す繰出器３１と該繰出器３１から繰り出された肥料を搬送する風を供給するブロワ３６とを機体側面視で操縦席９の前端に対して機体後方側近傍に位置させて走行車両２の後部に設け、植付部４を前記繰出器３１及びブロワ３６より機体後方側に位置させて動力車両２の後部に
リンクベ−ス１０に回動自在に取り付けられたリンク１１，１２を備える
ブロワ３６からの温風が前記リンクベ−ス１０の上に横設した施肥フレ−ム３５内を通って繰出器３１の下端部に供給される構成とし、
　【０００４】
　【発明の作用及び効果】
　この発明の施肥装置付き田植機は、圃場端で旋回して次行程の作業を開始するとき、植付部４を下降させそれに続いて施肥装置５と植付部４への伝動を入りにする操作を一つの操作レバー７０で操作できる。しかも、その操作レバー７０は操縦席９の側方部に設けたものであるので、操縦席９に座る操縦者は機体後方を振り向いての操作が行いやすく、なお且つ、その操作を行なうときに、肥料を繰り出す繰出器３１及び該繰出器３１から繰り出された肥料を搬送する風を供給するブロワ３６を操縦席９の前端に対して機体後方側近傍に位置させて走行車両２の後部に設け、植付部４を前記繰出器３１及びブロワ３６より機体後方側に位置させて動力車両２の後部に
リンクベ−ス１０に回動自在に取り付けられたリンク１１，１２を備える
、ブロワ３６からの温風が前記リンクベ−ス１０の上に横設した施肥フレ−ム３５内を通って繰出器３１の下端部に供給される構成とし
　【０００５】
　【発明の実施の形態】
　図１に示す施肥田植機１は、動力車両２が具備するリンク装置３に植付部４が昇降可能に設けられているとともに、動力車両２とこの植付部４の間隔部に施肥装置５が設けられている。図中の６は前輪、７は後輪、８はエンジン、９は操縦席である。
　【０００６】
　リンク装置３は、動力車両２のリンクベース１０に回動自在に取り付けられた左右一対の上リンク１１，１１および下リンク１２，１２を備え、これら上下リンクの後端部に連結枠１３が連結されている。そして、連結枠１３の下端部から後方に突出するローリング軸１４に植付部４が進行方向と垂直な面内で回動自在に装着される。本機フレーム１６に基部側を取り付けた油圧シリンダ１７のピストンロッド１８が上リンク１１，１１の基部から下向きに突設したスイングアーム１５の先端部に連結されており、該油圧シリンダを伸縮させることにより植付部４が昇降するようになっている。この油圧シリンダ１７は後記油圧バルブ２８によって制御される。
　【０００７】
　植付部４は、植付部フレームを兼ねる伝動ケース２０と、該伝動ケースの上方に前側が上位となるよう傾斜して設けた苗載台２１と、伝動ケース２０の後端部に設けた植付条数分の植付装置２２，…とを備え、苗載台２１が左右に往復動して台上の苗を該苗載台の下方に設けた苗取出口に順次供給しつつ、植付装置２２，…の植付杆２３，…が所定の軌跡を描きながら上下動を行い、該軌跡の上部で前記苗取出口に供給された苗を植付杆２３の植付爪２３ａが挟持し、これを軌跡の下部で開放して圃場に植え付けるようになっている。植付部４の下部にはセンターフロート２５と左右一対にサイドフロート２６，２６が設けられており、機体とともに進行しつつ圃場面を整地するようになっている。これら各フロート２５，２６，２６には、圃場面の所定位置に苗植付用の溝を形成する作溝器２７，…が取り付けられている。また、センターフロート２５は圃場面の凹凸を検出するセンサでもあり、このセンターフロート２５の上下動に応じて油圧バルブ２８が駆動するようになっている。すなわち、センターフロート２５が上動すると油圧シリンダ１７を伸ばす方向に油圧バルブ２８が駆動され、逆にセンターフロート２５が下動すると油圧シリンダ１７を縮める方向に油圧バルブ２８が駆動されるのである。
　【０００８】
　施肥装置５は、肥料を入れる肥料ホッパ３０，…と、繰出ロール３１ａが回転することによりの前記肥料ホッパ３０内の肥料を順次下方に繰り出す繰出器３１，…と、前記苗植付用の溝に臨んで設けられた施肥ホッパ３２，…と、前記繰出器３１，…と前記施肥ホッパ３２，…とを結ぶフレキシブルな施肥ホース３３，…とからなる。これらのうち、施肥装置の本体部である肥料ホッパ３０，…と繰出器３１，…は、前記リンクベース１０の上に横設した施肥フレーム３５に取り付けられている。図１１に示すように、施肥フレーム３５は中空状で、ブロワ３６によってエンジンルーム３７内の温風がこの施肥フレーム３５内を通って繰出器３１の下端部に供給されており、施肥ホース内の肥料の流通を円滑にするととも、施肥ホース内で肥料が固化するのを防止するようになっている。繰出器３２から施肥ホース３３への肥料の繰出しを良好に行なわせるには、図示の如く、温風等の空気取入口３８を繰出器の漏斗部３１ｂの比較的断面積が広い部分に設けておくのが好ましい。なお、ブロワ３６は伝動ベルト３８を介してエンジン出力軸８ａから伝えられる動力で駆動される。
　【０００９】
　動力車両２の作業部駆動出力は機体の後部に設けた植付・施肥クラッチケース４０に伝えられ、ここで植付部駆動用の出力と施肥装置駆動用の出力に分離して取り出される。植付部駆動用の出力は植付部伝動軸４１を介して前記伝動ケース２０に伝えられ、また施肥装置駆動用の出力はクラッチ側アーム４２、連結ロッド４３および繰出器側アーム４４からなる伝動機構を介して前記繰出ロール３１ａに伝えられる。
　【００１０】
　クラッチケース４０の構造は図２および図３に示すようなっている。すなわち、ミッションに接続された入力軸４５、ジョイント４１ａを介して前記植付部伝動軸４１が連結される植付クラッチ軸４６、前記クラッチ側アーム４２が取り付けられる施肥クラッチ軸４７、およびカウンタ軸４８が平行に支承されており、入力軸４５からカウンタ軸４８を介して植付クラッチ軸４６へ伝動するとともに、入力軸４５から施肥クラッチ軸４７へ伝動するようになっている。入力軸のギヤ５０，５１とカウンタ軸のギヤ５２，５３、およびカウンタ軸のギヤ５４，５５と植付クラッチ軸のギヤ５６，５７は互いに選択的に噛合し、これらギヤの噛合の組合せを変えることにより株間を段階的に調節することができる。なお、施肥クラッチ軸のギヤ５８は前記ギヤ５１に常時噛合している。
　【００１１】
　次に、植付クラッチ４０Ａの構成について説明する。前記ギヤ５６，５７が一体形成された筒体６０は、植付クラッチ軸４６に回転自在に取り付けられている。この筒体６０に対向して、植付クラッチ体６１が植付クラッチ軸４６に回転不能かつ摺動自在に嵌合している。植付クラッチ体６１はスプリング６２にて筒体６０側に付勢されており、常時は両者の爪６０ａ，６１ａが互いに噛合して植付クラッチ入りとなっているが、植付クラッチピン６３で植付クラッチ体６１を筒体６０と反対側に移動させることにより植付クラッチ切となる。
　【００１２】
　施肥クラッチ４０Ｂも植付クラッチと同様の構成で、前記ギヤ５８が一体形成された筒体６５が施肥クラッチ軸４７に回転自在に嵌合するとともに、
施肥クラッチ体
施肥クラッチ体
　【００１３】
　植付クラッチ４０Ａと施肥クラッチ４０Ｂの入／切操作および植付部４の昇降操作は、操縦席９の右側方部に設けた共通の操作レバー７０で行われる。図４乃至図９はその取付部をあらわし、操作レバー７０の取付軸７１に植付カム７２Ａと施肥カム７２Ｂと油圧カム７２Ｃが一体に取り付けられているとともに、これらカム７２（Ａ，，Ｂ，Ｃ）の下面に形成されたカム面に当接するローラ７３（Ａ，Ｂ，Ｃ）が操作アーム７４（Ａ，Ｂ，Ｃ）にそれぞれ支承されている。各操作アーム７４（Ａ，Ｂ，Ｃ）は操作アーム軸７５に上下に回動自在に取り付けられ、スプリング７６（Ａ，Ｂ，Ｃ）によってカム側に付勢されている。植付操作アーム７４Ａには前記植付クラッチピン６３が取り付けられ、施肥操作アーム７４Ｂには前記施肥クラッチピン６８と、前記ブロワ駆動用の伝動ベルト３８に張力を付与するテンションワイヤ７７がそれぞれ取り付けられている。また、油圧カム７２Ｃには、前記油圧バルブ２８を操作するバルブ操作ワイヤ７８が取り付けられている。
　【００１４】
　操作レバー７０は前後に回動操作するようになっており、その操作域に５段階のレバー位置▲１▼〜▲５▼が設定されている。油圧カム７２Ｃは操作レバーの位置決めカムであり、カム面に形成された位置決め凹部▲１▼〜▲５▼にローラ７３Ｃが係合することにより、操作レバー７０が前記レバー位置▲１▼〜▲５▼で安定保持される。また、油圧カム７２Ｃが回動することにより操作ワイヤ７７が進退し、油圧バルブ２８が適宜切り替わる。すなわち、操作レバー７０が▲１▼にあるときは「上げ」、▲２▼にあるときは「固定」、▲３▼にあるときは「下げ」、▲４▼および▲５▼にあるときは「自動」になる。
　【００１５】
　植付カム７２Ａはローラ７３Ａよりも幅広で、その適所に案内板８０Ａが設けられており、またローラ７３Ａは一対のスプリング８１Ａ，８１Ａによって左右移動可能に保持されているので、操作レバー７０を▲１▼から▲５▼に操作するときと▲５▼から▲１▼に操作するときとではローラ７３Ａがカム面の異なる経路を辿るようになっている。すなわち、操作レバー７０を▲１▼から▲５▼に操作するときはローラ７３Ａがカム面の▲１▼→▲２▼→▲３▼→▲４▼→▲５▼の順に通るが、操作レバー７０を▲５▼から▲１▼に操作するときはローラ７３Ａがカム面の▲５▼→▲４▼´→▲３▼→▲２▼→▲１▼の順に通るのである。ローラ７３Ａがカム面の▲１▼，▲２▼，▲３▼，▲４▼´にあるときは植付クラッチ切で、ローラ７３Ａがカム面の▲４▼，▲５▼にあるときは植付クラッチ入となる。
　【００１６】
　施肥カム７２Ｂとローラ７３Ｂの関係も同様で、操作レバー７０を▲１▼から▲５▼に操作するときはローラ７３Ｂがカム面の▲４▼を経由するが、操作レバー７０を▲５▼から▲１▼に操作するときはローラ７３Ｂがカム面の▲４▼´を経由する。ローラ７３Ｂがカム面の▲１▼，▲２▼，▲３▼，▲４▼にあるときは施肥クラッチ切で、かつブロワ３６が非作動であるが、ローラ７３Ｂがカム面の▲４▼´，▲５▼にあるときは施肥クラッチ入となるとともに、ブロワ３６が作動する。図中の８０Ｂは案内板、８１Ｂはスプリングである。
　【００１７】
　以上に説明したレバー位置と植付クラッチ、施肥クラッチおよび油圧バルブの関係をまとめると表１および表２のようになる。すなわち、操作具である操作レバー７０を段階的に前方に倒すことにより、植付部４が上げ位置から下げ位置に下降するとともに、施肥装置５と植付部４が順次作動する。この際、施肥装置５の方が植付部４よりも先に作動を開始するようになっているので、この時間差の間に繰出器３１，…から繰り出される肥料が施肥ホッパ３２，…付近まで移動してきており、植付部４の作動開始とともに肥料が施肥ホッパ３２，…の施肥口から圃場に供給されるのである。また、操作レバー７０を起こすと、植付部４が上昇するとともに、施肥装置５と植付部４が順次停止する。この場合も、施肥装置５の方が植付部４よりも先に停止するので、植付部４が停止するのとほぼ同時に施肥ホッパ３２，…からの肥料の供給が止まる。
　【００１８】
　図１１は上記操作レバー取付部とは異なる構成をあらわし、この操作レバー取付部は、操作レバー７０の取付軸７１に油圧カム９０、植付操作棒９１および施肥操作棒９２が取り付けられている。
　油圧カム９０は、前実施例の植付カム７２Ｃと同様に、▲１▼〜▲５▼の位置決め凹部が形成されており、適所に油圧バルブ２８を操作するバルブ操作ワイヤ７８の一端部が取り付けられている。この油圧カム９０に対向させて回動自在に設けた油圧アーム９４に前記位置決め凹部▲１▼〜▲５▼に係合する油圧ローラ９５が取り付けられている。油圧アーム９４はスプリング９６にてカム側に付勢されている。
　【００１９】
　植付操作棒９１の下端部には水平に支持ピン１００が設けられ、該支持ピンが植付操作板１０１の長穴１０２に遊嵌している。植付操作板１０１は、支持ピン１００と前記長穴１０２とは異なる長穴１０３に遊嵌する支持ピン１０４によって支持され、長穴１０２，１０３の長さ分だけ前後に移動可能である。この植付操作板１０１は前後に長く、その下面１０５は前部１０５ａが低く後部１０５ｂが高い段状になっている。植付操作板１０１の下方には、中心軸１０６を中心に上下に回動自在でスプリング１０７によって上向きに付勢された植付アーム１０８が設けられており、該植付アームに植付操作板１０１の下面１０５に当接する植付ローラ１０９と、植付クラッチピン６３を操作する植付クラッチワイヤ６３ａが取り付けられている。油圧カム９０の位置決め凹部▲１▼〜▲４▼に油圧ローラ９５が係合しているときは、植付アーム１０８の後部下面１０５ｂに植付ローラ１０９が当接し、油圧カム９０の位置決め凹部▲５▼に油圧ローラ９５が係合しているときは、植付アーム１０８の前部下面１０５ａに植付ローラ１０９が当接するようになっている。
　【００２０】
　施肥操作棒９２の下端部には止めピン１１０が設けられ、該止めピンと長穴１１３に遊嵌する支持ピン１１４によって、施肥操作板１１１が長穴１１３の長さ分だけ前後に移動可能に支持されている。この施肥操作板１０１も植付操作板１０１と同様に、その下面１１５に段状の前部１１５ａと後部１１５ｂが形成されている。１１８は施肥アームで、植付アーム１０８と共通の中心軸１０６を中心に上下に回動自在に設けられ、スプリング１１７によって上向きに付勢されている。施肥アーム１１８には、施肥操作板１１１の下面１１５に当接する施肥ローラ１１９と、施肥クラッチピン５８を操作する操作部材５９が取り付けられている。油圧カム９０の位置決め凹部▲１▼〜▲３▼に油圧ローラ９５が係合しているときは、施肥アーム１１８の後部下面１１５ｂに油圧ローラ１１９係合し、油圧アム９０の位置決め凹部▲４▼，▲５▼に油圧ローラ９５が係合しているときは、油圧アーム１１８の前部下面１１５ｂに油圧ローラ１１９が係合するようになっている。
　【００２１】
　レバー位置▲１▼〜▲５▼に応じて、油圧バルブ２８が切り替わるとともに、植付クラッチ４０Ａおよび施肥クラッチ４０Ｂが入／切操作される。この実施例の場合も、レバー位置と植付クラッチ、施肥クラッチおよび油圧バルブの関係をまとめると表１および表２のようになり、植付部４を下降させるとき、施肥クラッチ４０Ｂの方が植付クラッチ４０Ａよりも先に入になるとともに、植付部４を上昇させるとき、施肥クラッチ４０Ｂの方が植付クラッチ４０Ａよりも先に切になる。
　【００２２】
　以上説明したように、この施肥装置付き田植機は、圃場端で旋回して次行程の作業を開始するとき、植付部４を下降させそれに続いて施肥装置５と植付部４への伝動を入りにする操作を一つの操作レバー７０で操作できる。しかも、その操作レバー７０は操縦席９の側方部に設けたものであるので、操縦席９に座る操縦者は機体後方を振り向いての操作が行いやすく、なお且つ、その操作を行なうときに、肥料を繰り出す繰出器３１及び該繰出器３１から繰り出された肥料を搬送する風を供給するブロワ３６を操縦席９の前端に対して機体後方側近傍に位置させて走行車両２の後部に設け、植付部４を前記繰出器３１及びブロワ３６より機体後方側に位置させて動力車両２の後部にリンク装置３を介して昇降可能に設けていることにより、植付部４が下降した状態と施肥装置５と植付部４への伝動が入りになった状態とを容易に直接確認でき、よって、操縦席９より後側に施肥装置５と植付部４とを設けたものでありながら、誤操作や操作忘れが生じにくく、よって、作業を適確に進めることができる。
【図面の簡単な説明】
　【図１】施肥田植機の側面図。
　【図２】植付・施肥クラッチケースの展開してあらわした側部断面図。
　【図３】図２に示した植付・施肥クラッチケースの背面図。
　【図４】操作レバー取付部の背面図。
　【図５】図４におけるＡ−Ａ矢視図。
　【図６】図４におけるＢ−Ｂ矢視図。
　【図７】図４におけるＣ矢視図。
　【図８】図４におけるＤ−Ｄ矢視図。
　【図９】図４におけるＥ矢視図。
　【図１０】異なる構成の操作レバー取付部を示す斜視図。
　【図１１】施肥装置の要部の側部断面図。
　【符号の説明】
　　１：施肥田植機
　　２：動力車両
　　３：リンク装置
　　４：植付部
　　５：施肥装置
　　９：操縦席
　１７：油圧シリンダ（油圧アクチュエータ）
　２８：油圧バルブ
　３１：繰出器
　３３：施肥ホース
　３６：ブロワ
　４０：植付・施肥クラッチケース
　４０Ａ：植付クラッチ
　４０Ｂ：施肥クラッチ
　７０：操作レバー（操作具）